(57)【要約】 【課題】  例えば屋根用のスレート板を含む屋根材を傾斜させて、その上を歩行することによって、屋根材の踏み抜きを体験する可搬式屋根材歩行体験装置を提供する。【解決手段】  スレート板２と、スレート板２の上面部に配設可能な歩み板３と、垂直方向に延びる支持柱４２、４３と、支持柱４２、４３にスライド自在に配設された第１の水平部４４と、第１の水平部４４の上方の支持柱４２、４３にスライド自在に配設された第２の水平部４５とを有し、スレート板２を支持する架台４とを備え、支持柱４２、４３に第１の水平部４４および第２の水平部４５を所定の間隔で配設し、第１の水平部４４と第２の水平部４５とによって、スレート板２の一端側と上面部に配設した歩み板３の一端側とを狭持する。【選択図】  図１
2014202974.tif 000002
【特許請求の範囲】
【請求項１】
屋根材の踏み抜きを体験するための可搬式屋根材歩行体験装置であって、
板状の屋根材と、
前記屋根材の上面部に配設可能な歩み板と、
垂直方向に延びる支持柱と、前記支持柱にスライド自在に配設された第１の水平部と、前記第１の水平部の上方の前記支持柱にスライド自在に配設された第２の水平部とを有し、前記屋根材を支持する支持手段と、
を備え、
前記支持柱に前記第１の水平部および前記第２の水平部を所定の間隔で配設し、前記第１の水平部と前記第２の水平部とによって、前記屋根材の一端側と前記屋根材の上面部に配設した歩み板の一端側とを狭持する、
ことを特徴とする可搬式屋根材歩行体験装置。
【請求項２】
前記屋根材の上面部には、前記歩み板の移動を規制する規制手段、
を備えることを特徴とする請求項１に記載の可搬式屋根材歩行体験装置。
【発明の詳細な説明】
【技術分野】
【０００１】
この発明は、例えば屋根用のスレート板を含む屋根材を傾斜させて、その上を歩行することによって、屋根材の踏み抜きを体験する可搬式屋根材歩行体験装置に関する。
【背景技術】
【０００２】
電力会社における配電作業において、家屋の屋根に上って作業をする場合がある。屋根の上での作業は、足場が不安定な高所作業となるため、高度な注意力を要する。ところが、家屋の形状や地域的特性などによって屋根材は異なっており、例えば、瓦や、スレート板や軟鋼板の波板や平板などが使用されており、屋根の傾斜の差異や、屋根材の材質の差異によって体感される高さや、滑り易さが異なる。
【０００３】
そこで、屋根に上って安全に作業するためには、屋根材の上を歩いて屋根の滑り易さや強度を把握しておく必要がある。このためには、屋根の傾斜を変えたり、屋根材を交換したりして、屋根の滑り易さや強度を体験しておくことが有効である。
【０００４】
ところで、家屋への屋根材の施工については、瓦葺木造勾配屋根の瓦葺下地工事における雨漏り防止方法に関する技術が知られている（例えば、特許文献１参照。）。この技術は、従来より大型の大型ひっかけ桟を使用し、両面粘着コーキング剤を下面にはさんだコーキングメヨセのところでのみ野地板をとおして、たる木に釘打ち固定するようにし、ひっかけ桟瓦の釘もアスファルトルーフィングを傷つけない寸のものにするものである。また、勾配屋根の改修方法、及び勾配屋根に関する技術が知られている（例えば、特許文献２参照。）。この技術は、屋根材の支持金物を確実に垂木に固定することで支持金物の堅固な固定が可能になるものである。
【先行技術文献】
【特許文献】
【０００５】
【特許文献１】特開２０００−００８５５６号公報
【特許文献２】特開２０１２−１２２２７１号公報
【発明の概要】
【発明が解決しようとする課題】
【０００６】
しかしながら、特許文献１、２に記載された技術はいずれも、実際の家屋の屋根を施工するための技術であり、すなわち、恒久的に屋根を施工するための技術である。
【０００７】
屋根の傾斜を変えたり、屋根材を交換したりして高さや滑り易さを体験するためには、傾斜の異なる屋根や屋根材の種類が異なる屋根に上る必要があり、手間と時間とを要するものであった。そこで、本願の発明者は、屋根材の歩行体験するために、簡易な構成で、傾斜を変えたり、屋根材を交換したりして歩行体験をするために、傾斜が変更自在で、屋根材の着脱が容易な可搬式屋根材歩行体験装置を考えるにいたった。ここで、可搬式とするのは、場所を選ばず、どこでも屋根材歩行体験をできるようにするためである。
【０００８】
そこで、この発明は、前記の課題を解決し、屋根材の着脱が容易な可搬式屋根材歩行体験装置を提供することを目的としている。
【課題を解決するための手段】
【０００９】
前記の課題を解決するために、請求項１に記載の発明は、屋根材の踏み抜きを体験するための可搬式屋根材歩行体験装置であって、板状の屋根材と、前記屋根材の上面部に配設可能な歩み板と、垂直方向に延びる支持柱と、前記支持柱にスライド自在に配設された第１の水平部と、前記第１の水平部の上方の前記支持柱にスライド自在に配設された第２の水平部とを有し、前記屋根材を支持する支持手段と、を備え、前記支持柱に前記第１の水平部および前記第２の水平部を所定の間隔で配設し、前記第１の水平部と前記第２の水平部とによって、前記屋根材の一端側と前記屋根材の上面部に配設した歩み板の一端側とを狭持する、ことを特徴とする可搬式屋根材歩行体験装置である。
【００１０】
この発明によれば、支持柱に第１の水平部および第２の水平部を所定の間隔で配設し、第１の水平部と第２の水平部とによって、屋根材の一端側と屋根材の上面部に配設した歩み板の一端側とが狭持される。すなわち、支持柱によって屋根材の一端側と歩み板の一端側が支持されて傾斜を有するので、支持された屋根材および歩み板の上を歩行可能となる。
【００１１】
請求項２に記載の発明は、請求項１に記載の可搬式屋根材歩行体験装置において、前記屋根材の上面部には、前記歩み板の移動を規制する規制手段、を備えることを特徴とする。
【発明の効果】
【００１２】
請求項１に記載の発明によれば、支持柱に第１の水平部および第２の水平部を所定の間隔で配設し、第１の水平部と第２の水平部とによって、屋根材の一端側と屋根材の上面部に配設した歩み板の一端側とが狭持される。すなわち、支持柱によって屋根材の一端側と歩み板の一端側が支持されて傾斜を有するので、支持された屋根材および歩み板の上を歩行可能となる。
【００１３】
第１の水平部と第２の水平部は、支持柱にスライド自在で高さ調節自在なので、屋根材および歩み板の傾斜が変更自在である。これにより、傾斜を変えて屋根材の踏み抜きを体験することができる。また、第１の水平部と第２の水平部の高さを変える際に、その間隔を変えることができるので、狭持する屋根材および歩み板の厚さを変えることができる。また、屋根材に歩み板を重ねた状態、歩み板を外して屋根材のみの状態で、踏み抜きを体験して強度を比較することも可能である。
【００１４】
請求項２に記載の発明によれば、規制手段によって、屋根材の上面部において歩み板の移動が規制されるので、設置が容易で、かつ、より安全に踏み抜きを体験することができる。
【図面の簡単な説明】
【００１５】
【図１】この発明の実施の形態に係る可搬式屋根材歩行体験装置を示す斜視図である。
【図２】図１の可搬式屋根材歩行体験装置のスレート板の斜視図である。
【図３】図２のスレート板に歩み板を配設した状態を示す斜視図である。
【図４】図１の可搬式屋根材歩行体験装置の架台の正面図である。
【図５】図４の可搬式屋根材歩行体験装置の架台の側面図である。
【図６】図１の可搬式屋根材歩行体験装置からスレート板を取り外した状態を示す斜視図である。
【発明を実施するための形態】
【００１６】
つぎに、この発明の実施の形態について図面を用いて詳しく説明する。
【００１７】
図１ないし図６は、この発明の実施の形態を示している。可搬式屋根材歩行体験装置１は、例えば屋根用のスレート板を含む屋根材を傾斜させて、その上を歩行することによって、屋根材の踏み抜きを、場所を選ばずに体験するものであり、図１に示すように、主として、屋根材としてのスレート板２と、歩み板３と、支持手段としての架台４とを備えている。
【００１８】
スレート板２は、家屋などの屋根材であり、例えば、幅約７００〜１０００ｍｍ、長さ約１８００〜２５００ｍｍの波型に形成されている。ここでは、スレート板２は、屋根材として加工された形状、大きさのままで使用するものとする。スレート板２には、図２に示すように、上面部に後述する歩み板３の移動を規制するためのストッパ２１、２２、２３、２４が着脱自在に配設されている。
【００１９】
ストッパ２１は、ねじで構成されており、スレート板２の波型凸部の、長手方向の一端部側（下端部から数ｃｍ上方）に形成された挿通孔（図示略）を介して配設されている。このストッパ２１は、スレート板２の上面部の波型凸部から軸部が約数ｃｍ露出するように配設されており、軸部が歩み板３の側方外縁部と当接することによって、移動を規制するようになっている。
【００２０】
ストッパ２２、２３、２４は、ストッパ２１と同様に構成されている。ストッパ２２は、スレート板２の波型凸部の長手方向の一端部側でストッパ２１と対向する位置に形成された挿通孔（図示略）を介して配設されている。ストッパ２３は、スレート板２の波型凸部の長手方向の他端部側から所定距離下方（上端部から数１０ｃｍ下方）に形成された挿通孔（図示略）を介して配設され、ストッパ２４は、スレート板２の波型凸部の長手方向の他端部側から所定距離下方でストッパ２３と対向する位置に形成された挿通孔（図示略）を介して配設されている。このようなストッパ２１、２２、２３、２４は、歩み板３の側方外縁部と当接するように配設されている。
【００２１】
歩み板３は、図１、図３に示すように、スレート板２の上面部に着脱自在に配設可能なものであり、スレート板２より短い長さ、狭い幅の木材で形成された板材である。歩み板３は、スレート板２に加わる荷重が集中することを防ぎ、荷重を分散することによって、スレート板２の破損を防ぐことができるものである。図３に示すように、歩み板３をスレート板２の上面部に配設する際は、ストッパ２１、２２、２３、２４の内側に位置するように配設する。
【００２２】
架台４は、図４、図５に示すように、主として、台座４１と、支持柱４２、４３と、第１の狭持部４４、第２の狭持部４５とを有している。台座４１は、平面形状が略コの字型に形成されており、地面上に置かれるものである。台座４１は、図１に示すように、Ｔ型継手４１ａの両端部の接続口と接続された直管４１ｂ、４１ｃとによってコの字型の一辺が形成され、Ｔ型継手４１ｄの両端部の接続口と接続された直管４１ｅ、４１ｆとによって対向するコの字型の他の一辺が形成されている。さらに、直管４１ｃの自由端側と接続されたＬ型継手４１ｇと、直管４１ｆの自由端側と接続されたＬ型継手４１ｈとが、直管４１ｉによって接続されて、コの字型が形成されている。
【００２３】
支持柱４２は、Ｔ型継手４１ａの他の接続口に接続され、垂直方向に延びる直管である。支持柱４３は、支持柱４２と同様に構成されており、Ｔ型継手４１ｄの他の接続口に接続されている。支持柱４２、４３の間隔は、スレート板２の幅よりも数ｃｍ程度広く設定されている。すなわち、支持柱４２、４３は、第１の狭持部４４と第２の狭持部４５の間に差し込んだスレート板２が短手方向にずれることを抑制するようになっている。
【００２４】
第１の狭持部４４は、支持柱４２、４３にスライド自在に配設され、水平方向に延びる直管である。
【００２５】
第２の狭持部４５は、第１の狭持部４４と同様に構成されており、第１の狭持部４４の上方の支持柱４２、４３にスライド自在に配設され、水平方向に延びる直管である。
【００２６】
第１の狭持部４４と第２の狭持部４５との間隔は、図１に示すように、スレート板２と歩み板３の厚さよりも広く設定されている。すなわち、スレート板２と歩み板３を重ねて下端側を地面上に置かれたスレート板２と歩み板の上端部側を第１の狭持部４４と第２の狭持部４５によって狭持して支持するようになっている。スレート板２は、第２の狭持部４５上に載置されて下方から支持され、歩み板３は第１の狭持部４４の下端部と当接して上方への跳ね上がりを防止されている。また、スレート板２と歩み板３を重ねて下端側を地面上に置いた状態で、第１の狭持部４４と第２の狭持部４５とを支持柱４２、４３に対してスライドすることにより傾斜を変えることができる。具体的には、第１の狭持部４４と第２の狭持部４５とを支持柱４２、４３に対して上方にスライドすると傾斜が大きくなり、第１の狭持部４４と第２の狭持部４５とを支持柱４２、４３に対して下方にスライドすると傾斜が小さくなる。
【００２７】
つづいて、可搬式屋根材歩行体験装置１を用いた屋根材の踏み抜き体験方法について説明する。
【００２８】
まず、スレート板２と、歩み板３と、架台４とが体験場所まで運搬される。そして、体験場所に到着すると、架台４が地面上に設置され、第１の狭持部４４と第２の狭持部４５が、支持柱４２、４３に対してスライドされて所望の高さに設定される。このとき、例えば、体験する傾斜が安全な傾斜となるように高さが設定される。
【００２９】
そして、スレート板２の上面部に配設されたストッパ２１、２２、２３、２４の内側に接するように歩み板３が配設される。
【００３０】
そして、第１の狭持部４４と第２の狭持部４５の間に、スレート板２と歩み板３とが差し込まれる。このとき、スレート板２と歩み板３の傾斜が所定の傾斜となるように、スレート板２の地面上の置き位置が設定されており、図１に示すように、スレート板２の上端部は第１の狭持部４４と第２の狭持部４５から数１０ｃｍが突出しており、歩み板３の上端部は第１の狭持部４４と第２の狭持部４５よりもわずかに上方に突出した状態となっている。
【００３１】
そして、傾斜角度が小さい状態で、スレート板２の上面部に配設された歩み板３の上を歩行者が歩行する。このとき、歩行者が歩行しても、スレート板２は、支持柱４２、４３と当接することによって短手方向の移動が規制され、スレート板２および歩み板３は、第１の狭持部４４と第２の狭持部４５と当接することによって上下方向の移動が規制される。さらに、歩み板３は、ストッパ２１、２２、２３、２４の軸部と当接することによって短手方向の移動が規制される。
【００３２】
つぎに、スレート板２の傾斜角度を大きくして歩行体験する場合について説明する。
【００３３】
まず、第１の狭持部４４と第２の狭持部４５の間にスレート板２と歩み板３とが差し込まれた状態で、第１の狭持部４４と第２の狭持部４５が、支持柱４２、４３に対して上方にスライドされて所望の高さに設定される。
【００３４】
そして、傾斜角度を大きくした状態で、スレート板２の上面部に配設された歩み板３の上を歩行者が歩行する。このとき、傾斜角度が大きくなったことによって高度の違いや滑り易さが体感される。
【００３５】
さらに、歩み板３を外して踏み抜き体験する場合について説明する。
【００３６】
歩み板３をスレート板２の上面部から取り外して、スレート板２上を歩行者が歩行する。このとき、歩み板３がないことによって、スレート板２上の歩行者の荷重が集中して加わり、スレート板２は途中で踏み抜かれ折れてしまう。このとき、踏み抜かれたスレートは、下端側は地面と接触し、上端側は第１の狭持部４４と当接して跳ね上がりが抑えられる。
【００３７】
さらにまた、スレート板２や歩み板３の厚さを変えて体験する場合であっても、第１の狭持部４４と第２の狭持部４５の間隔の大きさを調節することができるので、適切な間隔に容易に設定できる。
【００３８】
歩行体験の終了後は、スレート板２と歩み板３を架台４の第１の狭持部４４と第２の狭持部４５から引き抜いて取り外すことによって、コンパクトになった状態で運搬、収容される。
【００３９】
このようにして、スレート板２と歩み板３は、架台４から抜き差しするだけで着脱できるので、高さを変えたり、厚さや形状を変えたりして踏み抜き体験が容易にできる。また、歩み板３を外した状態で、スレート板２上を歩行することで、歩み板３の安全性も体感できる。
【００４０】
以上のように、この可搬式屋根材歩行体験装置１によれば、支持柱４２、４３に第１の狭持部４４および第２の狭持部４５を所定の間隔で配設し、第１の狭持部４４と第２の狭持部４５とによって、スレート板２の一端側とスレート板２の上面側に配設した歩み板３の一端側とが狭持される。すなわち、支持柱４２、４３によってスレート板２の一端側と歩み板３の一端側が支持されて傾斜するので、支持されたスレート板２および歩み板３の上を歩行可能となる。
【００４１】
また、第１の狭持部４４と第２の狭持部４５は、支持柱４２、４３にスライド自在で高さ調節自在に配設されているので、スレート板２および歩み板３の傾斜が容易に変更自在である。これにより、傾斜を変えてスレート板２の踏み抜きを体験することができる。また、第１の狭持部４４と第２の狭持部４５の高さを変える際に、その間隔を変えることができるので、狭持するスレート板２および歩み板３の厚さを変えることができる。このため、スレート板２の厚さや屋根材の種類を変えて歩行体験することが容易にできる。さらにまた、スレート板２に歩み板３を重ねた状態、歩み板３を外しスレート板２のみの状態で、踏み抜きを体験して強度を比較することも可能である。
【００４２】
さらに、ストッパ２１、２２、２３、２４によって、スレート板２の上面部において歩み板３の短手方向の移動が規制されるので、設置が容易で、かつ、より安全に踏み抜きを体験することができる。
【００４３】
しかも、スレート板２や歩み板３の厚さを変えて体験する場合であっても、第１の狭持部４４と第２の狭持部４５の間隔の大きさを調節することができるので、適切な間隔に容易に設定できる。
【００４４】
さらに、可搬式屋根材歩行体験装置１は、組立てに特殊な工具や技術が不要であり、誰でも容易に組み立てることができる。また、可搬式屋根材歩行体験装置１は、スレート板２と歩み板３と架台４に分解して省スペースとすることができるので、運搬や収納が容易になる。これにより、場所を選ばず、どこでも屋根材歩行体験が可能である。
【００４５】
以上、この発明の実施の形態について説明したが、具体的な構成は、これらの実施の形態に限られるものではなく、この発明の要旨を逸脱しない範囲の設計の変更等があっても、この発明に含まれる。例えば、歩み板３の移動を規制するための規制手段として、ストッパ２１、２２、２３、２４をスレート板２の上面部に配設するものとして説明したが、スレート板２に挿通孔を形成することが困難な場合には、スレート板２に歩み板３を重ねた状態で、例えば、下端部と上端部の外周をそれぞれバンドで締結することによって、歩み板３の移動を規制してもよい。
【００４６】
また、支持柱４２、４３には、高さを示すメモリを配設することによって、第１の狭持部４４と第２の狭持部４５の位置調節が容易になるようにしてもよいことはもちろんである。
【００４７】
さらにまた、図示を省略するが、架台４を２台用意して所定の距離を空けて向かい合うように配設し、同じ高さに設定した両方の架台４の第２の狭持部４５間にスレート板２と歩み板３とを架け渡し、その上を歩行者が歩くことで高さ体験をする。
【符号の説明】
【００４８】
１              可搬式屋根材歩行体験装置
２              スレート板（屋根材）
２１、２２、２３、２４  ストッパ（規制手段）
３              歩み板
４              架台（支持手段）
４２、４３      支持柱
４４            第１の狭持部（第１の水平部）
４５            第２の狭持部（第２の水平部）
【図１】
2014202974.tif 000003
【図２】
2014202974.tif 000004
【図３】
2014202974.tif 000005
【図４】
2014202974.tif 000006
【図５】
2014202974.tif 000007
【図６】
2014202974.tif 000008